(57)【要約】【課題】青色光の蛍光への混色を低減させることが可能となり、色純度の高い各色を出射させることができる蛍光体ホイールを使用した光源装置と、この光源装置を備えた投写型映像表示装置を提供する。【解決手段】蛍光体ホイールは、基板と、基板の一方の面に円環状に設けられた蛍光体領域と、基板の他方の面に円環状に設けられ、入射光が入射する光処理領域と、光処理領域に設けられた光処理体と、基板に設けられた光透過領域と、基板を回転させる駆動装置とを備える。【選択図】図１
2019194679.tif 000002
【特許請求の範囲】
【請求項１】
基板と、
前記基板の一方の面に円環状に設けられた蛍光体領域と、
前記基板の他方の面に円環状に設けられ、入射光が入射する光処理領域と、
前記光処理領域に設けられた光処理体と、
前記基板に設けられた光透過領域と、
前記基板を回転させる駆動装置と、
を備えた、蛍光体ホイール。
【請求項２】
前記光処理体は、光吸収層である、請求項１に記載の蛍光体ホイール。
【請求項３】
前記光処理体は、入射した光を拡散反射させる光拡散層である、請求項１に記載の蛍光体ホイール。
【請求項４】
前記光処理体は、前記他方の面に対し傾斜配置された光反射層であり、前記入射光と前記光反射層で反射された反射光の光軸が一致しない、請求項１に記載の蛍光体ホイール。
【請求項５】
前記光処理体は、前記入射光とは異なる波長の光を発光する蛍光体膜である、請求項１に記載の蛍光体ホイール。
【請求項６】
励起光源と、
前記励起光源からの光によって前記蛍光体領域が励起され蛍光を発光する、請求項１〜５いずれかに記載の蛍光体ホイールと、
前記励起光源からの光を前記蛍光体ホイールに導光し、前記蛍光体ホイールの前記蛍光体領域からの前記蛍光と前記蛍光体ホイールの前記光透過領域を透過した光の光路および方向を同一にして、所定の一面に導光する導光光学系と、
を備えた、光源装置。
【請求項７】
請求項６に記載の光源装置を備えた、投写型映像表示装置。
【発明の詳細な説明】
【技術分野】
【０００１】
本開示は、青色の励起光を出射する励起光源と、励起光に応じて発光する蛍光体とを備える光源装置を使用した投写型映像表示装置に関する。
【背景技術】
【０００２】
特許文献１には、青色光を出射する光源と、蛍光体ホイールとを備える光源装置を使用した投写型映像表示装置が開示されている。この投写型映像表示装置は、蛍光と青色光の光路および方向を同一にして出射させるための導光光学系を備えている。この導光光学系は、蛍光体ホイールと励起光源の間に青色光と蛍光を分離するダイクロイックミラーを有し、蛍光体ホイールの青色領域を透過した青色光を３枚のミラーによって繰り返し反射させてこのダイクロイックミラーに戻す構成をとっている。
【先行技術文献】
【特許文献】
【０００３】
【特許文献１】特開２０１１−１７０３６２号公報
【発明の概要】
【発明が解決しようとする課題】
【０００４】
本開示は、青色光の蛍光への混色を低減させることが可能となり、色純度の高い各色を出射させることができる蛍光体ホイールを使用した光源装置と、この光源装置を備えた投写型映像表示装置を提供する。
【課題を解決するための手段】
【０００５】
本開示における蛍光体ホイールは、基板と、基板の一方の面に円環状に設けられた蛍光体領域と、基板の他方の面に円環状に設けられ、入射光が入射する光処理領域と、光処理領域に設けられた光処理体と、基板に設けられた光透過領域と、基板を回転させる駆動装置とを備える。
【発明の効果】
【０００６】
本開示の蛍光体ホイールを使用した光源装置によれば、投写型映像表示装置で表示される赤色光および緑色光の色度の改善ができる。
【図面の簡単な説明】
【０００７】
【図１】実施の形態１における蛍光体ホイールを示す図
【図２】実施の形態２における蛍光体ホイールの構成を示す図
【図３】実施の形態３における蛍光体ホイールの構成を示す図
【図４】実施の形態４における蛍光体ホイールの構成を示す図
【図５Ａ】実施の形態５における光源装置の構成を示す図
【図５Ｂ】実施の形態５における光源装置の構成を示す図
【図６】実施の形態６における光源装置の構成を示す図
【図７】実施の形態７における投写型映像表示装置の構成を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
ここでは、蛍光体ホイールの一方の面を表面、他方の面を裏面とする。
【００１１】
[実施の形態１]
（蛍光体ホイール）
以下において、蛍光体ホイールの本実施の形態に係る構成について、図１を用いて説明する。
【００１２】
図１は、蛍光体ホイール１００の本実施の形態に係る構成を示す図である。図１の(ａ)は蛍光体ホイール１００の表面を示す平面図である。図１の(ｂ)は、蛍光体ホイール１００を図１の(ａ)の切断線１ｂ―１ｂに沿って切断した際の断面図である。図１の(ｃ)は蛍光体ホイール１００の裏面を示す平面図である。
【００１３】
図１に示すとおり、蛍光体ホイール１００は、金属製の円板状の基板１１０と、基板１１０の一方の面である表面の上に円環状に設けられた蛍光体膜１２０と、基板１１０の他方の面である裏面の上に円環状に設けられ、入射項を処理する光処理領域１４０と、基板１１０を円周方向に回転させるためのモーター１５０により構成されている。ここで、モーター１５０は駆動装置の一例である。
【００１４】
モーター１５０の回転軸は、基板１１０の中心である。基板１１０と蛍光体膜１２０は同心円状に設けられている。
【００１５】
また、励起光Ｌ１が、蛍光体ホイール１００の表面側から、図１の（ａ）に示す蛍光体膜１２０内の１点に、入射している。また、裏面入射光Ｌ２が、励起光Ｌ１が入射した位置の裏面に、蛍光体ホイール１００の裏面側から入射している。
【００１６】
図１の(ｂ)に示すとおり、蛍光体膜１２０は、入射した励起光Ｌ１によって励起されることによって、蛍光Ｌ１１を発光する。蛍光体膜１２０は、例えばセラミック蛍光体を接着剤によって基板１１０に接着することで作製可能である。蛍光体膜１２０に使用されるセラミック蛍光体としては、例えば、セリウム付活ガーネット構造蛍光体であるＹＡＧ蛍光体やＬＡＧ蛍光体が使用できる。
【００１７】
１つの蛍光体ホイール１００に用いられる蛍光体膜１２０は、１種類でも複数種類でも良いが、本実施の形態では、図１の（ａ）に示すとおり、赤色蛍光体膜１２０Ｒと緑色蛍光体膜１２０Ｇの２種類から構成されている。図１の（ｂ）に、蛍光体ホイール１００の要部の構成１６０ａを示す。図１の（ｂ）に示すように、蛍光Ｌ１１のうち、励起光Ｌ１が赤色蛍光体膜１２０Ｒに入射したときに発光される赤色の蛍光を赤色蛍光Ｌ１１Ｒとする。また、図示しないが、励起光Ｌ１が緑色蛍光体膜１２０Ｇに入射したときに発光される緑色の蛍光を緑色蛍光Ｌ１１Ｇとする。
【００１８】
図１の(ａ)に示すとおり、蛍光体ホイール１００の基板１１０には、円周方向において３つの領域が設けられている。基板１１０の表面の第１の領域（角度領域θＲ）には、赤色蛍光体膜１２０Ｒが形成されている。基板１１０の表面の第２の領域（角度領域θＧ）には、緑色蛍光体膜１２０Ｇが形成されている。ここで、角度領域θＲと角度領域θＧはそれぞれ蛍光体領域の一例である。第３の領域（角度領域θＢ）には、励起光Ｌ１が入射したときに透過するように、基板１１０に開口１３０が形成されている。開口１３０は、
蛍光体膜１２０と同じ円周上に配置されるように、基板１１０に円環状に設けられている。ここで、開口１３０が設けられた角度領域θＢは光透過領域の一例である。
【００１９】
図１の(ｃ)に示すとおり、蛍光体ホイール１００の基板１１０の角度領域θＲおよび角度領域θＧの蛍光体膜１２０（図１の(ａ)参照）の領域の裏面には、入射光を処理する光処理領域１４０が設けられている。光処理領域１４０には、基板１１０上に光処理体として光吸収層１４０ａが備えられている。
【００２０】
図１の(ｂ)に示すとおり、光吸収層１４０ａに裏面入射光Ｌ２が入射すると吸収され、反射光は実質的に生じない。光吸収層１４０ａは、例えば黒色アルマイト塗装を施した金属板を基板１１０の裏側に固定するか、黒色の耐熱の着色剤を基板１１０の裏面に塗布することで作製可能である。
【００２１】
[実施の形態２]
（蛍光体ホイール）
以下において、蛍光体ホイールの本実施の形態に係る構成について、図１および図２を用いて説明する。
【００２２】
図２は、蛍光体ホイール１００の本実施の形態に係る要部の構成１６０ｂを示す図である。本実施の形態では、基板１１０の裏面に設けられている光処理領域１４０の構成が実施の形態１の蛍光体ホイール１００と異なっており、その他の構成は実施の形態１と同様であるのでその説明は省略する。
【００２３】
本実施の形態では、蛍光体ホイール１００は光処理領域１４０（図１参照）に光処理体として、光吸収層１４０ａ（図１参照）ではなく、入射した光を拡散反射させる光拡散層１４０ｂ（図２参照）を備えている。
【００２４】
図２に示すとおり、裏面入射光Ｌ２が光拡散層１４０ｂに入射すると、裏面反射光Ｌ３ｂが裏面から出射する。裏面反射光Ｌ３ｂの拡散角は、可能な限り大きい方が好ましい。
【００２５】
光拡散層１４０ｂは、例えば基板１１０の裏面に、光拡散膜を形成するか、光拡散膜が形成された硝子板を固定することでも作製可能である。
【００２６】
[実施の形態３]
（蛍光体ホイール）
以下において、蛍光体ホイールの本実施の形態に係る構成について、図１および図３を用いて説明する。
【００２７】
図３は、蛍光体ホイール１００の本実施の形態に係る要部の構成１６０ｃを示す図である。本実施の形態では、基板１１０の裏面に設けられている光処理領域１４０の構成が実施の形態１の蛍光体ホイール１００と異なっており、その他の構成は実施の形態１と同様であるのでその説明は省略する。
【００２８】
本実施の形態では、蛍光体ホイール１００は光処理領域１４０（図１参照）に光処理体として、光吸収層１４０ａ（図１参照）ではなく、基板１１０の面に対して傾斜配置させた光反射フィン１４０ｃ（図３参照）を備えている。ここで、光反射フィン１４０ｃは傾斜配置させた光反射層の一例である。
【００２９】
図３に示すとおり、裏面入射光Ｌ２が光反射フィン１４０ｃに入射すると、裏面反射光Ｌ３ｃが裏面から出射する。裏面入射光Ｌ２と裏面反射光Ｌ３ｃの光軸が一致しないよう
に、光反射フィン１４０ｃは、基板１１０に対して傾斜している。例えば、裏面入射光Ｌ２の光軸が基板１１０に対して垂直であり、裏面入射光Ｌ２と裏面反射光Ｌ３ｃの光軸のなす角度が４０°になるように、光反射フィン１４０ｃは基板１１０の裏面に対して２０°の角度で設置される。光反射フィン１４０ｃは、１枚でも良いし複数枚でも良い。
【００３０】
光反射フィン１４０ｃは、例えば基板１１０を裏面に凹凸があるように一体成型して作るか、折り曲げた金属板を基板１１０の裏面に固定することでも作製可能である。
【００３１】
[実施の形態４]
（蛍光体ホイール）
以下において、蛍光体ホイールの本実施の形態に係る構成について、図１および図４を用いて説明する。
【００３２】
図４は、蛍光体ホイール１００の本実施の形態に係る要部の構成１６０ｄを示す図である。本実施の形態では、基板１１０の裏面に設けられている光処理領域１４０の構成が実施の形態１の蛍光体ホイール１００と異なっており、その他の構成は実施の形態１と同様であるのでその説明は省略する。
【００３３】
本実施の形態では、蛍光体ホイール１００は光処理領域１４０（図１参照）に光処理体として、光吸収層１４０ａ（図１参照）ではなく、入射する光とは異なる波長の光を発光する蛍光体膜１４０ｄ（図４参照）を備えている。
【００３４】
図４に示すとおり、蛍光体膜１４０ｄに裏面入射光Ｌ２が入射すると、蛍光体膜１４０ｄは裏面入射光Ｌ２に励起され蛍光Ｌ２１を発光する。ここで、蛍光Ｌ２１は、蛍光体膜１４０ｄに入射する光とは異なる波長の光であり、裏面入射光Ｌ２と異なる波長であれば、どのような波長でも良い。
【００３５】
蛍光体膜１４０ｄは、上記蛍光体膜１２０と同様に、例えば蛍光体を接着剤によって基板１１０の裏面に接着することでも作製可能である。
【００３６】
[実施の形態５]
（光源装置）
以下において、光源装置の本実施の形態に係る構成について、図１、図２、図３、図５Ａ、および図５Ｂを用いて説明する。
【００３７】
図５Ａ、図５Ｂは、光源装置５００の本実施の形態に係る構成を示す図であり、より詳細には図５Ａは励起光が蛍光体膜１２０を励起しているときの状態を説明するための図、図５Ｂは励起光が開口１３０を透過しているときの状態を説明するための図である。本実施の形態では、光源装置５００から、最終的に赤色光、緑色光、青色光が、蛍光体ホイール１００の回転に伴って順次出射する場合を例示する。
【００３８】
図５Ａ、図５Ｂに示すとおり、光源装置５００は、光源ユニット５１０と、拡散板５２３と、ダイクロイックミラー５３１と、蛍光体ホイール１００と、ロッドインテグレータ５５０と、複数のレンズ５２１、５２２、５３２、５３３、５３４、５４１、５４２、５４４、５４６、５４８と複数のミラー５４３、５４５、５４７を備えている。
【００３９】
本実施の形態では、光源装置５００に実施の形態１、２、３のいずれかの蛍光体ホイール１００が搭載されている。蛍光体ホイール１００は、蛍光体膜１２０（図１参照）が形成された表面がレンズ５３３（図５Ａ、図５Ｂ参照）に対向するように設置されており、光処理領域１４０（図１参照）が設けられた裏面はレンズ５４１（図５Ａ、図５Ｂ参照）
に対向するように設置されている。そして、蛍光体ホイール１００は、図１の(ａ)の矢印の向きに回転している。
【００４０】
光源ユニット５１０は、例えば、レーザダイオード（ＬＤ：Ｌａｓｅｒ  Ｄｉｏｄｅ）や発光ダイオード（ＬＥＤ：Ｌｉｇｈｔ  Ｅｍｉｔｔｉｎｇ  Ｄｉｏｄｅ）などの複数の固体光源および複数のコリメータレンズによって構成される。本実施の形態では、固体光源として青色光を発するレーザダイオード５１１を使用している。レーザダイオード５１１から出射した光は、レーザダイオード５１１の出射側に各々配置されたコリメータレンズ５１２によって平行化される。
【００４１】
光源ユニット５１０から出射された青色光Ｌ５０の波長は、例えば４５５ｎｍである。ここで光源ユニット５１０は、励起光源の一例である。
【００４２】
光源ユニット５１０から出射される青色光Ｌ５０は、レンズ５２１、レンズ５２２、拡散板５２３を透過してダイクロイックミラー５３１に入射する。
【００４３】
ダイクロイックミラー５３１は、青色光を透過させ、且つ他の色の光は反射させる特性を有するように作製されている。しかし、実際には、ダイクロイックミラー５３１の青色光の透過率は１００％ではなく、青色光の一部が反射する。本実施の形態では、ダイクロイックミラー５３１に入射した青色光Ｌ５０の大部分は、ダイクロイックミラー５３１を透過し、励起光Ｌ１として蛍光体ホイール１００の表面に向かう。一方、ダイクロイックミラー５３１に入射した青色光Ｌ５０の一部は、ダイクロイックミラー５３１で反射し、裏面入射光Ｌ２として蛍光体ホイール１００の裏面に向かう。すなわち、青色光Ｌ５０は、ダイクロイックミラー５３１によって、励起光Ｌ１と裏面入射光Ｌ２に分岐する。
【００４４】
まず、励起光Ｌ１の光路について説明する。
【００４５】
励起光Ｌ１は、レンズ５３２、レンズ５３３で集光され、蛍光体ホイール１００の表面に入射する。この際、励起光Ｌ１は、蛍光体ホイール１００の回転に伴い、図１の（ａ）に示す角度領域θＲおよび角度領域θＧにある蛍光体膜１２０（角度領域θＲにある赤色蛍光体膜１２０Ｒ、角度領域θＧにある緑色蛍光体膜１２０Ｇ）、角度領域θＢにある開口１３０の順に入射する。
【００４６】
励起光Ｌ１が蛍光体膜１２０に入射した時、図５Ａに示すように蛍光Ｌ１１（赤色蛍光Ｌ１１Ｒ、緑色蛍光Ｌ１１Ｇ）が出射する。蛍光体ホイール１００の表面から出射した蛍光Ｌ１１は、レンズ５３３、レンズ５３２の順に透過した後、ダイクロイックミラー５３１で反射してからレンズ５３４を透過し、ロッドインテグレータ５５０に入射する。その後、蛍光Ｌ１１は、ロッドインテグレータ５５０内で均一化され、入射した面とは反対の面から出射する。本実施の形態では、ロッドインテグレータ５５０は、ガラスなどの透明部材によって構成される中実のロッドである。
【００４７】
また、励起光Ｌ１は、開口１３０に入射した時、図５Ｂに示すとおりレンズ５４１に入射する。その後、励起光Ｌ１はレンズ５４２、ミラー５４３、レンズ５４４、ミラー５４５、レンズ５４６、ミラー５４７、レンズ５４８の順に進行し、ダイクロイックミラー５３１に入射する。次に、励起光Ｌ１は、ダイクロイックミラー５３１を透過し、図５Ａの蛍光Ｌ１１と光路および方向が同一になった状態でレンズ５３４を通り、ロッドインテグレータ５５０に入射する。その後、励起光Ｌ１は、ロッドインテグレータ５５０内で均一化され、入射した面とは反対の面から出射する。
【００４８】
ここで、ダイクロイックミラー５３１、レンズ５４１、レンズ５４２、ミラー５４３、
レンズ５４４、ミラー５４５、レンズ５４６、ミラー５４７、レンズ５４８からリレー光学系が構成される。このリレー光学系は、励起光源からの光を蛍光体ホイール１００に導光し、蛍光体ホイール１００の蛍光体領域からの蛍光と蛍光体ホイール１００の光透過部を透過した光の光路および方向を同一にして、所定の一面に導光する導光光学系の一例である。また、ロッドインテグレータ５５０の入射面は、所定の一面の一例である。
【００４９】
次に、裏面入射光Ｌ２の光路について説明する。
【００５０】
裏面入射光Ｌ２は、レンズ５４８、ミラー５４７、レンズ５４６、ミラー５４５、レンズ５４４、ミラー５４３、レンズ５４２、レンズ５４１の順に進行し、蛍光体ホイール１００の裏面に入射する。この際、裏面入射光Ｌ２は、蛍光体ホイール１００の回転に伴い、図１の（ｃ）に示す角度領域θＲおよび角度領域θＧにある光処理領域１４０、角度領域θＢにある開口１３０の順に入射する。
【００５１】
裏面入射光Ｌ２が光処理領域１４０に入射する時、光処理領域１４０に光処理体が施されず基板１１０の裏面そのものが露出していると、裏面入射光Ｌ２がその裏面で反射した反射光の一部が裏面反射光Ｌ３としてレンズ５４１に入射する。裏面反射光Ｌ３は、レンズ５４２、ミラー５４３、レンズ５４４、ミラー５４５、レンズ５４６、ミラー５４７、レンズ５４８の順に進行し、ダイクロイックミラー５３１に入射する。次に、裏面反射光Ｌ３は、ダイクロイックミラー５３１を透過し、レンズ５３４を通り、ロッドインテグレータ５５０に入射する。その後、裏面反射光Ｌ３は、ロッドインテグレータ５５０内で均一化された後、入射した面とは反対の面から出射する。
【００５２】
ここで、図１に示すとおり、光処理領域１４０は、蛍光体ホイール１００の角度領域θＲおよび角度領域θＧの蛍光体膜１２０が形成されている領域の裏面側に配置されている。そのため、光源装置５００において、裏面入射光Ｌ２が蛍光体ホイール１００の裏面に入射して裏面反射光Ｌ３が出射するのと、励起光Ｌ１が蛍光体ホイール１００の表面の蛍光体膜１２０に入射して蛍光Ｌ１１（赤色蛍光Ｌ１１Ｒ、緑色蛍光Ｌ１１Ｇ）が出射するのは同時である。したがって、裏面反射光Ｌ３は、蛍光Ｌ１１と同時にロッドインテグレータ５５０に入射して混色する。この時、裏面反射光Ｌ３の光強度が大きいと、光源装置５００から出射する赤色光（赤色蛍光Ｌ１１Ｒ）、緑色光（緑色蛍光Ｌ１１Ｇ）の色純度が低下することになる。
【００５３】
しかしながら、蛍光体ホイール１００に上記実施の形態１、２、３で示したいずれかの光処理体が備えられた光処理領域１４０を形成することにより、レンズ５４１に入射してロッドインテグレータ５５０から出射する裏面反射光Ｌ３の光強度を低減させることができる。
【００５４】
光源装置５００に実施の形態１の蛍光体ホイール１００を搭載すれば、図５Ａ、図５Ｂに示す蛍光体ホイール１００の一部分の構成１６０を、図１の（ｂ）の構成１６０ａにすることになり、光処理領域１４０には光吸収層１４０ａが備えられるので、実質的に裏面反射光Ｌ３は発生しない。すなわち、青色光の蛍光への混色を防止することによって、色純度の高い各色を出射させることができる。
【００５５】
また、光源装置５００に実施の形態２の蛍光体ホイール１００を搭載すれば、図５Ａ、図５Ｂに示す蛍光体ホイール１００の一部分の構成１６０を、図２の構成１６０ｂにすることになり、光処理領域１４０には光拡散層１４０ｂが備えられる。これにより発生する反射光は裏面反射光Ｌ３ｂになるが、裏面反射光Ｌ３ｂは大きく広がっているため、殆どがレンズ５４１の有効径の外を通り、一部しかレンズ５４１に入射しない。すなわち、青色光の蛍光への混色を防止することによって、色純度の高い各色を出射させることができ
る。
【００５６】
光源装置５００に実施の形態３の蛍光体ホイール１００を搭載すれば、図５Ａ、図５Ｂに示す蛍光体ホイール１００の一部分の構成１６０を、図３の構成１６０ｃにすることになり、光処理領域１４０には光反射フィン１４０ｃが備えられる。これにより、発生する裏面反射光Ｌ３ｃの光軸と裏面入射光Ｌ２の光軸（レンズ５４１の中心軸）のなす角度が大きくなり、裏面反射光Ｌ３ｃの大部分はレンズ５４１の有効径の外を通り、入射しない。すなわち、青色光の蛍光への混色を防止することによって、色純度の高い各色を出射させることができる。
【００５７】
[実施の形態６]
（光源装置）
以下において、光源装置の本実施の形態に係る構成について、図１、図４、図５Ａ、図５Ｂ、および図６を用いて説明する。
【００５８】
図６は、光源装置５００の実施の形態に係る構成を示す図である。本実施の形態では、光源装置５００から最終的に赤色光、緑色光、青色光が、蛍光体ホイール１００の回転に伴って順次出射する場合を例示する。
【００５９】
本実施の形態では、光源装置５００に実施の形態４の蛍光体ホイール１００（図４参照）が搭載されているが、他の構成要素は実施の形態５（図５Ａ、図５Ｂ参照）と同じであり、その重複説明は省略する。
【００６０】
図４に示すとおり、青色の裏面入射光Ｌ２は、光処理領域１４０に入射した時、蛍光体膜１４０ｄによって波長が変換され、蛍光Ｌ２１になる。図６に示すように、レンズ５４１に入射した蛍光Ｌ２１は、レンズ５４２、ミラー５４３、レンズ５４４、ミラー５４５、レンズ５４６、ミラー５４７、レンズ５４８の順に進行し、ダイクロイックミラー５３１に入射する。次に、蛍光Ｌ２１は、ダイクロイックミラー５３１で反射され、光源ユニット５１０に向かう。すなわち、蛍光Ｌ２１は、蛍光体膜１４０ｄによって波長が変換された青色の裏面入射光Ｌ２とは異なる波長の光であって、ダイクロイックミラー５３１で反射される波長の光であればよい。
【００６１】
よって、蛍光Ｌ１１と同時にロッドインテグレータ５５０に入射する青色の光は無い。すなわち、青色光の蛍光への混色を防止することによって、色純度の高い各色を出射させることができる。
【００６２】
[実施の形態７]
（投写型映像表示装置）
以下において、本実施の形態に係る投写型映像表示装置の構成について、図７を用いて説明する。
【００６３】
図７は、本実施の形態に係る投写型映像表示装置７００の構成を示す図である。本実施の形態では、投写型映像表示装置７００からの映像光として、赤色光、緑色光、青色光が、蛍光体ホイール１００の回転に伴って順次出射する場合について例示する。
【００６４】
図７に示すように、投写型映像表示装置７００は、光源装置５００とＤＭＤ（Ｄｉｇｉｔａｌ  Ｍｉｒｒｏｒ  Ｄｅｖｉｃｅ）７３０と、全反射プリズム７２０と、投写レンズ７４０と複数のレンズを備えている。
【００６５】
本実施の形態では、投写型映像表示装置７００に実施の形態５、実施の形態６のいずれ
かの光源装置５００が搭載されている。
【００６６】
光源装置５００からは、均一化され、且つ色純度の高い赤色光、緑色光、青色光が順次出射しており、図７に示すとおり、レンズ７１１、レンズ７１２、レンズ７１３、全反射プリズム７２０を構成する三角プリズム７２１を伝播した後、ＤＭＤ７３０に入射する。
【００６７】
本実施の形態では、投写型映像表示装置７００に搭載されるＤＭＤはＤＭＤ７３０の１枚である。ＤＭＤ７３０は、複数の微小ミラーによって構成されており、複数の微小ミラーは可動式である。各微小ミラーは、基本的に１画素に相当する。ＤＭＤ７３０は、各微小ミラーの角度を映像信号に応じて変更する変調動作によって、投写レンズ７４０側に光を反射するか否かを切り替える。
【００６８】
ＤＭＤ７３０に供給される映像信号は、蛍光体ホイール１００の回転と同期しており、ＤＭＤ７３０は、赤色光、緑色光、青色光が順次入射する時間に対応して、各色の階調表現を行う。
【００６９】
ＤＭＤ７３０で変調されて生成された映像光は、三角プリズム７２１、７２２を透過し、投写レンズ７４０に入射する。投写レンズ７４０に入射された映像光はスクリーン（図示なし）に拡大投写される。
【００７０】
〔他の実施の形態〕
以上のように、本出願において開示する技術の例示として、実施の形態１、２、３、４、５、６、７を説明した。しかしながら、本開示における技術は、これに限定されず、変更、置き換え、付加、省略などを行った実施の形態にも適用できる。また、上記で説明した各構成要素を組み合わせて、新たな実施の形態とすることも可能である。
【００７１】
そこで、以下、他の実施の形態を例示する。
【００７２】
実施の形態１、２、３、４では、蛍光体ホイール１００の基板１１０が金属で作製され、角度領域θＢに開口１３０が設けられている場合が例示されている。しかし、基板１１０は硝子板で作製され、硝子の角度領域θＢに表面に反射防止膜を形成されていても良い。
【００７３】
実施の形態５、６では、光源装置５００のダイクロイックミラー５３１として、青色光を透過させ且つ他の色を反射させる仕様のものを使用していたが、逆に青色光を反射させ且つ他の色を透過させる仕様のものを使用し、それに合わせて、光源ユニット５１０、レンズ５２１、レンズ５２２および拡散板５２３と、レンズ５３４およびロッドインテグレータ５５０の配置を適宜変更しても良い。
【００７４】
実施の形態５、６では、光源装置５００のロッドインテグレータ５５０は、ガラスなどの透明部材によって構成される中実のロッドであったが、内壁がミラー面によって構成される中空のロッドであっても良い。
【００７５】
実施の形態７では、投写型映像表示装置７００としてＤＭＤを１枚用いる投写型映像表示装置を例示したが、ＤＭＤを２枚用いる投写型映像表示装置であっても良い。この場合、例えば、適切な色分離素子を用いて、１枚のＤＭＤに赤色光と青色光を導き、もう一枚のＤＭＤに緑色光に導く光学構成をとることができる。また、黄色光を赤色光と緑色光に分離する素子を備えれば、蛍光体ホイール１００の蛍光体膜１２０を黄色蛍光体膜１種類として簡素化することができる。
【産業上の利用可能性】
【００７６】
本開示は、プロジェクタ等の投写型映像表示装置に適用できる。
【符号の説明】
【００７７】
１００    蛍光体ホイール
１１０    基板
１２０    蛍光体膜
１２０Ｒ    赤色蛍光体膜
１２０Ｇ    緑色蛍光体膜
１３０    開口
１４０    光処理領域
１４０ａ    光処理体（光吸収層）
１４０ｂ    光処理体（光拡散層）
１４０ｃ    光処理体（光反射フィン）
１４０ｄ    光処理体（蛍光体膜）
１５０    モーター
１６０、１６０ａ、１６０ｂ、１６０ｃ、１６０ｄ    構成
５００    光源装置
５１０    光源ユニット
５１１    レーザダイオード
５１２    コリメータレンズ
５２１、５２２    レンズ
５２３    拡散板
５３１    ダイクロイックミラー
５３２、５３３、５３４、５４１、５４２、５４４、５４６、５４８    レンズ
５４３、５４５、５４７    ミラー
５５０    ロッドインテグレータ
７００    投写型映像表示装置
７１１、７１２、７１３    レンズ
７２０    全反射プリズム
７２１、７２２    三角プリズム
７３０    ＤＭＤ
７４０    投写レンズ
【図１】
2019194679.tif 000003
【図２】
2019194679.tif 000004
【図３】
2019194679.tif 000005
【図４】
2019194679.tif 000006
【図５Ａ】
2019194679.tif 000007
【図５Ｂ】
2019194679.tif 000008
【図６】
2019194679.tif 000009
【図７】
2019194679.tif 000010